(57)【特許請求の範囲】
【請求項１】
廃棄物処分場の基盤面全域を覆って敷設される不透水性の単一下層シートと該単一下層シート上に配置される不透水性の矩形状上層シートとで形成される複数の袋体、該袋体間を交互の対角位置で連通する開口、該袋体内に配置される形状保持材及び開口で連通する袋体の最初の袋体と最終の袋体との下層シートに設置される送還配管から構成される廃棄物処分場の遮水シート。
【請求項２】
開口で連通する複数の袋体が、所定の方向に区画されて複数の区分域として形成されることを特徴とする請求項１に記載の廃棄物処分場の遮水シート。
【請求項３】
請求項１又は２に記載の廃棄物処分場の遮水シートにおいて、単一下層シート上に配置される矩形状上層シートが、連接する２辺を単一下層シートに接合されると共に他の連接する２辺を隣接する上層シートに接合させて袋体を形成することを特徴とする廃棄物処分場の遮水シート。
【請求項４】
請求項１又は２に記載の廃棄物処分場の遮水シートにおいて、単一下層シート上に配置される矩形状上層シートが、配置される方向の１辺を単一下層シートに接合されると共に他の連接する３辺を隣接する上層シートに接合させながら両端部を閉鎖して袋体を形成することを特徴とする廃棄物処分場の遮水シート。
【請求項５】
請求項１又は２に記載の廃棄物処分場の遮水シートにおいて、単一下層シート上に配置される矩形状上層シートが、配置される方向の１辺を隣接する上層シートに接合されると共に他の連接する３辺を単一下層シートに接合させながら両端部を閉鎖して袋体を形成することを特徴とする廃棄物処分場の遮水シート。
【請求項６】
単一下層シートに設置される送還配管が、複数の袋体を連通している開口との対角位置に配置されることを特徴とする請求項１乃至５のいずれかに記載の廃棄物処分場の遮水シート。
【請求項７】
請求項１乃至６のいずれかに記載の廃棄物処分場の遮水シートにおいて、区分域を構成している複数の袋体が、補充可能な液状修復材で充填されていることを特徴とする廃棄物処分場の自己修復型遮水シート。
【発明の詳細な説明】
【０００１】
【発明の属する技術分野】
本発明は、廃棄物処分場の遮水シートとその施工法に関し、特に、廃棄物処分場の基盤面全域を覆って敷設される不透水性の単一下層遮水シート材の上に、現地で切断した上層遮水シート材を適宜に接合することによって、所望の遮水シートを廃材が発生しない状態で容易に施工できる廃棄物処分場の遮水シートとその施工法に関する。
【０００２】
【従来の技術】
産業廃棄物や一般廃棄物を埋立する廃棄物処分施設では、処分施設からの漏出汚水が地下に浸透して環境汚染を引き起こさないように、処分施設の底面に遮水工事を実施することが義務付けられており、かかる遮水工事は、軟質の合成樹脂系あるいはゴム系の遮水シートを敷設する方法が採用されているが、遮水シートの接合不良や廃棄物の埋め立て作業中や埋め立て完了後に発生する遮水シ−トの破損による欠損箇所からの汚水が外部に漏出する恐れがあった。
【０００３】
このような状況を改善するために、空間部を有する複合遮水体を採用して、そこに破損が発生した場合にも汚染水が外部に流出する前に破損箇所を修復して遮水すると共に、同一区間が再度破損しても直ちに修復することができる自己修復型廃棄物処分施設が提案されている。（特願平１１−２５３５８９号出願）
この提案による自己修復型廃棄物処分施設は、窪地状に掘削された廃棄物処分場とこれに近接して構築される管理棟から構成されており、廃棄物処分場には、遮水機構を構成している液状修復材が充填された二重構造の遮水シートを敷設して、管理棟の供給管理機構等の各設備と接続している。
【０００４】
遮水機構は、常時、計測・監視されて健全運転が維持されると同時に、供給管理機構等も別途に計測・監視されており、遮水シートに充填されている液状修復材が、その品質を正常状態に維持されていることを確認している。
【０００５】
そして、遮水シートに破損が発生した場合には、液状修復材が漏出することで自己補修すると同時に、供給管理機構等が遮水シートの内部に充填されている液状修復材の変動として確認することで、液状修復材の供給を指令して破損の自己修復を支援している。又、破損の自己修復は、液状修復材を供給する供給管理機構等における供給量の減少と正常時における過圧力状態への復帰で、修復の完了を確認して健全な運転に復旧するものである。
【０００６】
これら遮水シートの材料としては、合成ゴム系、軟質の合成樹脂系その他高分子材料から成る遮水材料の他、アスファルト、ゴムアスファルト、粘土ライニング等による層状遮水材料あるいはルーフィングに用いられるシート状遮水材が用いられており、遮水シートの形態としても、一枚もののシートでなく複数の接合によって縦横に継ぎ合わされて単層の形態に構成する一般例や、欠損部の検知を図る機構も含めて広い範囲の単一下層シートの上に複数の狭い範囲の上層シートを接合することによって復層の遮水シートを構成する例（特開平２−１３６４１４号公報、特許第２９６０８２１号公報参照）も提案されている。
【０００７】
しかるに、遮水シートの破損要因は、物理・化学的な破損や生物的破損と広範囲に及んでおり、完全に防止することが困難なことから有効な対策は未だに確立されていない。このために、シートの破損を検知して修復する技術の開発が行われ、検知方法に関しては種々の提案がなされて精度的にも有効な技術として実用に至っているが、シートの修復技術に関しては、▲１▼破損部周辺に薬液注入をする間接的な修復や廃棄物を掘削して破損部を直接的に修復するものは、シートの破損部を早期に検知しても、廃棄物からの浸出水が廃棄物処分施設の外部に流出したあとに修復するので、その間に発生する環境汚染を防止出来ない、▲２▼空間部を有するシートを採用した廃棄物処分施設の補修に関しても、セメント等のグラウト注入等によって漏水部分の補修を行うことから、注入した空間部のすべてが固化して、同区間で次の漏水が起ると検知機構が作動しない等の問題が残っていた。
【０００８】
そこで、シートの修復作業を無くするために、空間部を有するシートの採用が多くなっているが、空間部を有する遮水シートの作成は、加工時における遮水シートの接合不良、廃棄物の埋め立て作業中や埋め立て完了後に外力による遮水シ−トの破損によって汚水が欠損箇所から外部に漏出させないように、遮水シ−トの施工時において良好な接合を図ったり、遮水シ−トの敷設後に上下層シートに不均等な圧力が掛からないように構成しており、このために、複数形状の遮水シ−ト材を用意してこれを張り合わせたり、遮水シ−トの製作に特製の部材を使用していることが多く、結果的に製造コストの高騰と施工期間の延長という根本的な問題点を抱えていた。
【０００９】
【発明が解決しようとする課題】
本発明は、上記の問題点に鑑みてその解消のために提案するものであり、廃棄物処分場の基盤面全域を覆って敷設される不透水性の単一下層遮水シート材の上に、現地で切断した上層遮水シート材を適宜に接合することによって、下層シートの上に複数の袋体を形成して蛇行的に連通させながら、所望の遮水シートを廃材が発生しない状態で容易に施工できると共に、施工現場での単純作業に徹することで、品質の確保を図りながら製造コストの低減と工期の短縮を達成する廃棄物処分場の遮水シート及び自己修復型遮水シートを提供している。
【００１０】
【課題を解決するための手段】
請求項１に記載の発明である廃棄物処分場の遮水シートは、廃棄物処分場の基盤面全域を覆って敷設される不透水性の単一下層シートと単一下層シート上に配置される不透水性の矩形状上層シートとで形成される複数の袋体、袋体間を交互の対角位置で連通する開口、袋体内に配置される形状保持材及び開口で連通する袋体の最初の袋体と最終の袋体との下層シートに設置される送還配管から構成されており、下層シートの上に複数の袋体を形成して蛇行的に連通させながら、下層シートの上に複数の袋体を形成するのに、現地で切断した下層シート及び上層シートを適宜に接合して廃材が発生させない状態で容易に施工すると共に施工現場での単純作業に徹することで品質の確保を図りながら製造コストの低減と工期の短縮を図っている。
【００１１】
請求項２に記載の発明である廃棄物処分場の遮水シートは、請求項１に記載の廃棄物処分場の遮水シートにおいて、開口で連通する複数の袋体を所定の方向に区画して複数の区分域として形成することを特徴としており、上記機能に加えて、複数の区分域の形成を簡素にしている。
【００１２】
請求項３に記載の発明である廃棄物処分場の遮水シートは、請求項１又は２に記載の廃棄物処分場の遮水シートにおいて、単一下層シート上に配置される矩形状上層シートの連接する２辺を単一下層シートに接合すると共に、他の連接する２辺を隣接する上層シートに接合させて袋体を形成することを特徴としており、上記機能に加えて、袋体間を連通する開口の形成と形状保持材の配置を容易にして所定の方向に平行な複数の区分域を形成している。
【００１３】
請求項４に記載の発明である廃棄物処分場の遮水シートは、請求項１又は２に記載の廃棄物処分場の遮水シートにおいて、単一下層シート上に配置される矩形状上層シートの配置される方向の１辺を単一下層シートに接合すると共に、他の連接する３辺を隣接する上層シートに接合させながら両端部を閉鎖して袋体を形成することを特徴としており、上記機能に加えて、袋体間を連通する開口の形成と形状保持材の配置を容易にして、一定方向に平行な複数の区分域を複数の上層シートを張り合わせて形成している。
【００１４】
請求項５に記載の発明である廃棄物処分場の遮水シートは、請求項１又は２に記載の廃棄物処分場の遮水シートにおいて、単一下層シート上に配置される矩形状上層シートの配置される方向の１辺を隣接する上層シートに接合すると共に、他の連接する３辺を単一下層シートに接合させながら両端部を閉鎖して袋体を形成することを特徴としており、上記機能に加えて、袋体間を連通する開口の形成と形状保持材の配置を容易にして、一定方向に平行な複数の区分域を下層シートと同幅の単一上層シートで形成している。
【００１５】
請求項６に記載の発明である廃棄物処分場の遮水シートは、請求項１乃至５のいずれかに記載の廃棄物処分場の遮水シートにおいて、単一下層シートに設置される送還配管を複数の袋体間を連通している開口との対角位置に配置することを特徴としており、上記機能に加えて、区分域における蛇行流路の形成を容易にしている。
【００１６】
請求項７に記載の発明である廃棄物処分場の自己修復型遮水シートは、請求項１乃至６のいずれかに記載の廃棄物処分場の遮水シートにおいて、区分域を構成している複数の袋体を補充可能な液状修復材で充填することを特徴としており、上記機能に加えて、遮水シート全域に対する液状修復材での自己修復を確実にしている。
【００１７】
【発明の実施の形態】
本発明による廃棄物処分場の遮水シートは、基本的に、廃棄物処分場の基盤面全域を覆って敷設される不透水性の単一下層シートと単一下層シート上に配置される不透水性の矩形状上層シートとで形成される複数の袋体と、袋体間を交互の対角位置で連通する開口、袋体内に配置される形状保持材及び開口で連通する袋体の最初の袋体と最終の袋体との下層シートに設置される送還配管から構成されており、複数の袋体から成る上記遮水シートを、連続的に並設された複数個の袋体を一区分域として任意の複数の区分域に区画し、各区分域を構成して連接する袋体の仕切部の対角位置に設けた開口によって各袋体を蛇行的に連通させて区分域の全域に亘って充填液を流通できるようにしている。
【００１８】
これによって、本発明による遮水シートは、下層シートの上に複数の袋体を形成するのに、現地で切断した下層シート及び上層シートを適宜に接合して廃材が発生させない状態で容易に施工すると共に施工現場での単純作業に徹することで品質の確保を図りながら製造コストの低減と工期の短縮を図っている。
以下に、本発明による遮水シートの実施の形態を、図面に基づいて詳細に説明する。
【００１９】
図１は、本発明による遮水シートの第１の実施形態を示しており、一部を破断した平面図（ａ）と平面図（ａ）を部分的に拡大して示す断面図（ｂ）である。
【００２０】
本実施の形態における遮水シート１は、廃棄物処分場の基盤面全域を覆って敷設される不透水性の単一下層シート２と不透水性の矩形状上層シート３とによって複数の袋体４が形成されており、袋体４の空隙５内に形状保持材６が配置されている。複数の袋体４は、隣接して連続的に配置されており、所定の方向に区画することで複数の区分域７、７’、７”を構成している。
【００２１】
各区分域７を形成している各袋体４には、隣接している袋体４の間で互いに対角位置で連通する開口８、８が設けられており、複数の袋体４がこの開口８を通じて蛇行状態に連通されて、各区分域７、７’、７”の全域を網羅する一連の流路を形成している。
【００２２】
又、各区分域７、７’、７”を構成する複数の袋体の一側端に在る袋体９の下層シート２には、送流配管１０が設置されており、上記一側端の袋体９に対峙して各区分域７の他側端に在る袋体１１の下層シート２には、還流配管１２が設置されている。
【００２３】
さらに、送流配管１０及び還流配管１２は、開口部８と対向する袋体の角部に配置されて、開口８と共に各区分域７、７’、７”の全域を網羅する一連の蛇行状態の流路を形成している。
【００２４】
以上の構成によって、遮水シート１の破損部を検知するために送流配管１０から遮水シート１の各区分域７に注入される液状修復材は、各区分域７の一側端に在る袋体９から全ての袋体４を交互方向に蛇行しながら、各区分域７の他側端に在る袋体１１に到達し、袋体１１に設けられた還流配管１２から送出されて、廃棄物処分場の管理棟に戻ることになる。
【００２５】
本実施の形態では、不透水性の下層シート２で廃棄物処分場の基盤面全域を覆って敷設できるように、現地において卷回されているロールから繰り出されて単一状態に接合されており、一方の上層シート３は、同一のロールから繰り出された複数の矩形状シートとして所定の方向に隣接させて連続的に配置してから、不透水性の下層シート２との接合及びお互い同士の接合とによって複数の各袋体４を構成しており、これらの袋体を区画することで所定方向の区分域７を形成している。
【００２６】
しかして、上層シート３による袋体４の形成は、上層シート３の連接する２辺１３、１４を下層シート２に接合すると共に、他の連接する２辺１３’、１４’を隣接する上層シート３の間同士で接合することで構成されるものであり、形成された複数の袋体４を連続的に配置しながら上層シート３の一部と下層シート２との間に形成される上層シート３の一部から成る隔壁１６に開口８を設けて互いに連通している。
【００２７】
開口８は、袋体の相互に対向する角部近傍の隔壁１６に設けられことで、区分域７、７’、７”の伸長方向に対応させながら連接する袋体間で図示のような相互の対角位置に配置され、この開口８を通じて複数の袋体４は連通されて、全域を蛇行状態に網羅する一連の流路を有する区分域７を形成する。
【００２８】
従って、区分域７、７’、７”の伸長方向は、図示のような区分域７→７に限定されることなく、区分域７→７’ →７”の方向にも伸長させることが可能であり、結果として、区分域の形成は遮水シート１の任意の方向に設定できるものである。
【００２９】
形成された袋体４には、廃棄物の埋め立て作業中や埋め立て完了後に外力で遮水シ−トが破損するのを防止すべく形状保持材１５を配置しており、遮水シ−トから外部に汚水を漏出させないようにしている。
【００３０】
又、隣接する袋体４を図示のように対角位置で連通する開口８は、図１（ｂ）の部分断面図が示すように、隔壁１６に切削加工で形成されるものであり、開口８内にも形状保持材１５を挿通することで開口８からの流通を確実にしている。
【００３１】
本発明による遮水シートの第１の実施形態では、遮水シートを以下のように施工している。
【００３２】
即ち、第１の実施形態における遮水シートの施工は、廃棄物処分場の基盤面全域を覆って不透水性の単一下層シート２を敷設し、単一下層シートの区画される各区分域７に該当する範囲において両端部に配置される袋体の位置に送還配管１０、１２を設置している。次いで、単一下層シート２の上に複数の袋体４を構成する不透水性の矩形状上層シート３を区分域７の方向に連続的に配列しながら、上層シート３の配列方向に平行な１辺１３と連接する配列方向の１辺１４を単一下層シート２に接合すると共に、上層シート３と単一下層シート２との接合部間に形状保持材６を配置している。
【００３３】
しかる後に、隣接する上層シート３の余裕を活用しながら対角する位置に袋体間を連通する開口８を形成すると共に、開口８に形状保持材１５を配置してから上層シート３の開放している他の連接する二辺１３’、１４’を隣接する上層シート３と接合させるものであり、これによって複数の連通する袋体４を形成しながら各区分域７を構成している。
【００３４】
図２は、以上の施工形態を示しており、下層シートに対する上層シートの接合及び上層シートにおける開口の形成過程を示している。
【００３５】
不透水性の単一下層シート２は、施工される廃棄物処分場において製作されるものであり、現場に搬入されたロールから卷回されているシート材を繰り出しながら、廃棄物処分場の基盤面の全域を覆って敷設できるように所定の形状に切断して、相互に接合して行くことによって一枚ものに加工している。
【００３６】
敷設された下層シート２には、区画される各区分域７に該当する範囲において両端部に配置される袋体の位置に送還配管１０、１２を設置しており、しかる後に複数枚の不透水性の矩形状上層シート３が、複数の袋体４を連接させて構成するために不透水性の単一下層シート２の上に一方向に配列されて、上層シートの配列される方向に平行な１辺１３とこれに連接して配列方向に位置する１辺１４とを下層シート２に接合している。
【００３７】
次いで、上述のように上層シートの連接する２辺が下層シートに接合されると、上層シートと下層シートとが接合されて形成される隔壁１６の間に形状保持材６を配置して、最終的に形成される袋体４に廃棄物による荷重が加えられても、袋体４の空隙５が維持されるように構成されるものであり、形状保持材６が配置された後には、袋体４の相互間を連通する開口８が上層シートに形成される隔壁１６に形成される。
【００３８】
形状保持材６の配置と隔壁１６における開口８の形成については、その詳細を後述するが、開口８の形成が完了すると、上層シート３の他の連接する２辺１３’、１４’が隣接する上層シート３に接合されることで、内部に形状保持材６を挿置した複数の袋体４が連続的に形成されている。従って、各区分域７、７、７の袋体４には、区分域内の全ての袋体４を蛇行させる一連の流路が形成されることになる。
【００３９】
以上の第１の実施形態のように、本発明による廃棄物処分場の遮水シートは、単一下層シート上の所定方向に配置される不透水性の矩形状上層シートが、連接する２辺を単一下層シートに接合し他の連接する２辺を隣接する上層シート間で接合させて袋体を形成することで任意方向の区分域を形成しており、不透水性の単一下層シートの上に、現地で切断した上層シートを適宜に接合することで下層シートの上に複数の袋体を形成して、隣接する袋体の隔壁１６に設けた開口によって全ての袋体を蛇行状態に連通させながら、所望の遮水シートを廃材が発生しない状態で容易に施工できると共に、施工現場での単純作業に徹することで品質の確保を図りながら製造コストの低減と工期の短縮を達成している。
【００４０】
次ぎに、本発明による遮水シートの第２の実施形態について説明するが、上記実施の形態と同一の部位については、同様の符号で表現している。
【００４１】
図３は、本発明による遮水シートの第２の実施形態を示しており、一部を破断した平面図（ａ）と平面図（ａ）を部分的に拡大して示す断面図（ｂ）である。本実施の形態における遮水シート２１は、廃棄物処分場の基盤面全域を覆って敷設される不透水性の単一下層シート２２と不透水性の矩形状上層シート２３とによって複数の袋体２４が形成されており、袋体２４の空隙２５内に形状保持材２６が配置されている。
【００４２】
複数の袋体２４は、隣接して連続的に配置されており、所定の方向に区画することで複数の区分域２７、２７’、２７”を構成している。
【００４３】
各区分域２７を形成している各袋体２４には、隣接している袋体２４の間で互いに対角位置で連通する開口８、８が設けられており、複数の袋体４がこの開口８を通じて蛇行状態に連通されることで、各区分域２７、２７’、２７”の全域を網羅する一連の流路を形成している。
【００４４】
又、各区分域２７、２７’、２７”の一側端に在る袋体２８の下層シート２２には、送流配管１０が設置されており、上記一側端の袋体２８に対峙して各区分域２７の他側端に在る袋体２９の下層シート２には、還流配管１２が設置されている。
【００４５】
以上の構成によって、本実施の形態の場合も、遮水シート２１の破損部を検知するために送流配管１０から遮水シート２１の各区分域２７、２７’、２７”に注入される液状修復材は、各区分域２７、２７’、２７”の一側端に在る袋体２８から全ての袋体２４を交互方向に蛇行しながら、各区分域２７、２７’、２７”の他側端に在る袋体２９に到達し、袋体２９に設けられた還流配管１２から送出されて、廃棄物処分場の管理棟に戻ることになる。
【００４６】
本実施の形態でも、不透水性の下層シート２２で廃棄物処分場の基盤面全域を覆って敷設できるように、現地において卷回されているロールから繰り出されて単一状態に接合されており、一方の上層シート２３は、同一のロールから繰り出された複数の矩形状シートとして所定の方向に隣接させて連続的に配置してから、不透水性の下層シート２２との接合及びお互い同士の接合とによって複数の各袋体２４を構成しており、これらの袋体を区画することで所定方向の区分域２７、２７’、２７”を形成している。
【００４７】
しかして、上層シート２３による袋体２４の形成は、単一下層シート上に配置される矩形状上層シート２３の配置される方向の１辺３０を単一下層シート２２に接合すると共に、他の連接する３辺３１、３２、３３を隣接する上層シート２３に接合させるものであり、しかる後に一端の上層シート３４と他方端の上層シート３５の両端部を閉鎖することで袋体２４を形成している。
【００４８】
形成された複数の袋体２４を連続的に配置しながら上層シート２３の一部と下層シート２２との間に形成される隔壁３６に開口８を設けて互いに連通している。
【００４９】
開口８は、区分域２７、２７’、２７”の伸長方向に対応させて連接する袋体２４の間で図示のような相互の対角位置に設けることで、袋体２４は連続的に結合されながら全域を蛇行状態に網羅する一連の流路を有する各区分域２７、２７’、２７”を形成する。
【００５０】
従って、本実施の形態では、一方向に伸長された袋体２４を平行に配列させて各区分域を形成している。形成された袋体２４には、廃棄物の埋め立て作業中や埋め立て完了後に外力で遮水シ−トが破損するのを防止すべく形状保持材２６を配置しており、遮水シ−トから外部に汚水を漏出させないようにしている。
【００５１】
又、隣接する袋体４を図示のように対角位置で連通する開口８は、図２（ｂ）の部分断面図が示すように、隔壁３６に切削加工で形成されるものであり、開口８内にも形状保持材３７を挿通することで開口８からの流通を確実にしている。本発明による遮水シートの第２の実施形態では、遮水シートを以下のように施工している。
【００５２】
即ち、第２の実施形態における遮水シートの施工は、廃棄物処分場の基盤面全域を覆って不透水性の単一下層シート２２を敷設し、単一下層シート２２の区画される各区分域に該当する範囲の対角する位置に送還配管１０、１２を設置している。次いで、単一下層シート２２の上に複数の袋体２４を構成する不透水性の矩形状上層シート２３を区分域２７の伸長方向に連接させて配列しながら、上層シート２３の配列される方向に平行な１辺３０を単一下層シート２２に接合すると共に、上層シート２３と単一下層シート２２との接合部間に形状保持材２６を配置している。
【００５３】
しかる後に、隣接する上層シート２３の余裕を活用しながら対角する位置に袋体間に連通する開口８を形成すると共に、開口８に形状保持材３７を配置してから上層シート２３の開放している他の三辺３１、３２、３３を隣接する上層シート２３に接合させるものであり、しかる後に一端の上層シート３４と他方端の上層シート３５の両端部を閉鎖することで袋体２４を形成している。
【００５４】
本発明の第２の実施形態では、遮水シートを以下のように施工している。
図４は、以上の施工形態を示しており、下層シートに対する上層シートの接合及び上層シートにおける開口の形成過程を示している。
【００５５】
不透水性の単一下層シート２２は、施工される廃棄物処分場において製作されるものであり、現場に搬入されたロールから卷回されているシート材を繰り出しながら、廃棄物処分場の基盤面の全域を覆って敷設できるように所定の形状に切断して、相互に接合して行くことによって一枚ものに加工している。
【００５６】
敷設された下層シート２２には、区画される各区分域２７に該当する範囲の対角している位置に送還配管１０、１２を設置しており、しかる後に複数枚の不透水性の矩形状上層シート２３が、複数の袋体２４を連接させて構成するために不透水性の単一下層シート２２の上に一方向に配列されて、上層シート２３の配列される方向に位置する１辺３０を下層シート２に接合している。
【００５７】
次いで、上述のように上層シート２３の１辺３０が下層シート２２に接合されると、上層シートと下層シートとが接合されて形成される隔壁３６の間に形状保持材２６を配置して、最終的に形成される袋体２４に廃棄物による荷重が加えられても、袋体２４の空隙２５が維持されるように構成されるものであり、形状保持材２６が配置された後には、袋体４の相互間を連通する開口８が上層シートに形成される隔壁３６に形成される。
【００５８】
形状保持材２６の配置と隔壁３６における開口８の形成については後述するが、開口８の形成が完了すると、上層シート２３の連接する３辺３１、３２、３３を隣接する上層シート２３に接合させることで、内部に形状保持材２６を挿置した複数の袋体２４が連接状態に形成されて、全ての袋体２４を交互方向に蛇行させる流路を形成する各区分域２７、２７’、２７”が形成されることになる。
【００５９】
以上の第２の実施形態のように、本発明による廃棄物処分場の遮水シートは、単一下層シート上に複数の袋体を構成する不透水性の矩形状上層シートを所定の一方向に連接させて配列し、上層シートの配列される方向に平行な１辺を単一下層シートに接合すると共に接合部間に形状保持材を配置し、連接する袋体の相互に対角する位置に袋体間に連通する開口を交互に形成して、開口に形状保持材を配置してから、上層シートの開放している他の三辺を隣接する上層シートに接合すると共に、両端部を閉鎖して袋体を形成して各区分域を構成することで、下層シートの上に複数の袋体を形成して蛇行状態に連通させながら、所望の遮水シートを廃材が発生しない状態で容易に施工すると共に施工現場での単純作業に徹することで品質を確保しながら製造コストの低減と工期の短縮を図っている。
【００６０】
次ぎに、本発明による遮水シートの第３の実施形態について説明するが、本実施の形態は、総体的に上記第２の実施の形態と同一であることから、第２の実施の形態と異なる部分のみについて説明する。
【００６１】
即ち、本発明による廃棄物処分場の遮水シートにおける第３の実施形態は、単一下層シート２２上に配置される矩形状の単一上層シート２３の配置される方向の１辺３２を隣接する単一上層シート２３に接合すると共に、他の連接する３辺３０、３１及び３３を単一下層シート２２に接合させて両端部３４、３５を閉鎖する袋体２４を形成しており、矩形状上層シートを単一にすることのみが上記第２の実施の形態と異にしている。
【００６２】
本実施の形態は、以上の構成によって一定方向に平行な複数の各区分域２７、２７’、２７”を単一下層シート２２と同幅の単一上層シートで形成しており、袋体２４を形成するための接合作業を大幅に低減している。
【００６３】
従って、本発明による廃棄物処分場の遮水シートは、上記第１、２の実施の形態で説明した機能に加えて、袋体間を連通する開口の形成と形状保持材の配置を容易にして、一定方向に平行な複数の区分域を下層シートと同幅の単一上層シートで形成することで作業効率を向上させている。
【００６４】
図５は、上層シートを単一下層シート上に部分的に接合させた後の施工過程を示しており、第１の実施の形態に基づいて説明する。
【００６５】
本施工過程にあっては、図５（ａ）のように下層シート２に接合された隔壁１４の下部間に形状保持材１６を設置しており、矢印のように上層シート３の開放されている他の辺１３’、１４’側から形状保持材１６を挿入している。
【００６６】
袋体４の形成は、図５（ｂ）に示すように上層シート３の他の辺１３’、１４’と隔壁１４を形成する側の隣接する上層シート３とを上方に持ち上げながらシート溶着機械４０で相互間を接合することによって、隔壁１４の上部４１を形成すると同時に若干の余裕を持たせた状態で加工している。
【００６７】
尚、シート溶着機械４０を使用する場合には、必要に応じて設置した形状保持材１６の上に反力用シート４２を配置してシート溶着機械４０を安定的に設置させることができる。
【００６８】
図６は、本実施の形態における開口の形成工程であり、上層シート対する開口の切削加工を示す断面図（ａ）と形成された開口に形状保持材を設置する工程の断面図（ｂ）を示している。
【００６９】
図６（ａ）は、開口部分を示す下層シート２と上層シート３及び空隙５の断面図である。
【００７０】
開口の加工は、空隙５の内部に形状保持材６を配置している区分域７に隔壁１４の上部４１と上層シート３とに若干の余裕を持たせてあるので、これを利用することによって開放されている上層シート３の隣接する２辺１３’、１４’側からの施工がなされる。
【００７１】
しかして、開口８は、上層シート３による隔壁１４の上部４１で形状保持材１６の上端位置において、隣接する袋体４と連通する位置に切削加工している。
【００７２】
図６（ｂ）は、開口に形状保持材を挿通して設置する工程を示す断面図であり、開口８には、形状保持材１５を設置している。
【００７３】
形状保持材１５は、袋体４の内部に配置されている形状保持材６をガイドにして隔壁１４の開口８に挿通させている。このために、開口８が形成されている上層シート３は、他の部分より突出する形態で構成されるが、この部分には、形状保持材６、１５が重畳して配置されているので、強度的な問題は解決している。
【００７４】
又、特に図示しないが、上記のように形成された本発明による遮水シートは、区分域を構成している複数の袋体に補充可能な液状修復材で充填することで、自己修復型廃棄物処分施設における自己修復型遮水シートとして使用することを可能にしている。
【００７５】
本発明による遮水シートを用いて構成される自己修復型遮水シートは、常時において計測・監視されて健全運転が維持されると同時に、遮水シートに破損が発生した場合には、液状修復材が漏出することで自己補修すると同時に、供給管理機構等から遮水シートの内部に充填されている液状修復材の変動を確認しながら、液状修復材を自己修復型遮水シートに供給することで破損の自己修復を支援している。
【００７６】
破損の自己修復は、液状修復材を供給する供給管理機構等における供給量の減少と正常時における過圧力状態への復帰で完了するものであり、自己修復型遮水シートを健全な運転に復旧させるものである。
【００７７】
以上のように、本発明による自己修復型遮水シートは、廃棄物処分場に遮水機構として敷設されることで、自己修復型遮水シートの全域に対する液状修復材の自己修復を確実にして、遮水シートの接合不良や廃棄物の埋め立て作業中や埋め立て完了後に発生する遮水シ−トの破損による欠損箇所から汚水が外部に漏出する恐れを解消しており、処分施設からの漏出汚水が地下に浸透して環境汚染を引き起こす問題の発生を回避している。
【００７８】
以上、本発明による廃棄物処分場の遮水シートと自己修復型遮水シートを、上記実施の形態に基づいて詳細に説明したが、本発明は、これらの実施の形態に何ら限定されるものでなく、発明の主旨を逸脱しない範囲において各種の変更が可能であることは当然のことである。
【００７９】
【発明の効果】
請求項１に記載の廃棄物処分場の遮水シートは、廃棄物処分場の基盤面全域を覆って敷設される不透水性の単一下層シートと単一下層シート上に配置される不透水性の矩形状上層シートとで形成される複数の袋体、袋体間を交互の対角位置で連通する開口、袋体内に配置される形状保持材及び開口で連通する袋体の最初の袋体と最終の袋体との下層シートに設置される送還配管から構成されるので、下層シートの上に複数の袋体を形成して蛇行的に連通させながら、下層シートの上に複数の袋体を形成するのに現地で切断した遮水シート材を適宜に接合して廃材が発生させない状態で容易に施工すると共に施工現場での単純作業に徹することで品質の確保を図りながら製造コストの低減と工期の短縮を図ることができる効果を奏している。
【００８０】
請求項２に記載の廃棄物処分場の遮水シートは、請求項１に記載の廃棄物処分場の遮水シートにおいて、開口で連通する複数の袋体を所定の方向に区画して複数の区分域として形成することを特徴としているので、上記効果に加えて、複数の区分域を簡素に形成できる効果を奏している。
【００８１】
請求項３に記載の廃棄物処分場の遮水シートは、請求項１又は２に記載の廃棄物処分場の遮水シートにおいて、単一下層シート上に配置される矩形状上層シートの連接する２辺を単一下層シートに接合すると共に、他の連接する２辺を隣接する上層シートに接合させて袋体を形成することを特徴としているので、上記効果に加えて、袋体間を連通する開口の形成と形状保持材の配置を容易にして所定の方向に平行な複数の区分域を形成できる効果を奏している。
【００８２】
請求項４に記載の廃棄物処分場の遮水シートは、請求項１又は２に記載の廃棄物処分場の遮水シートにおいて、単一下層シート上に配置される矩形状上層シートの配置される方向の１辺を単一下層シートに接合すると共に、他の連接する３辺を隣接する上層シートに接合させながら両端部を閉鎖して袋体を形成することを特徴としているので、上記効果に加えて、袋体間を連通する開口の形成と形状保持材の配置を容易にして一定方向に平行な複数の区分域を複数の上層シートを張り合わせて形成できる効果を奏している。
【００８３】
請求項５に記載の発明である廃棄物処分場の遮水シートは、請求項１又は２に記載の廃棄物処分場の遮水シートにおいて、単一下層シート上に配置される矩形状上層シートの配置される方向の１辺を隣接する上層シートに接合すると共に、他の連接する３辺を単一下層シートに接合させながら両端部を閉鎖して袋体を形成することを特徴としており、上記機能に加えて、袋体間を連通する開口の形成と形状保持材の配置を容易にして、一定方向に平行な複数の区分域を下層シートと同幅の単一上層シートで形成することで作業効率を向上できる効果を奏している。
【００８４】
請求項６に記載の廃棄物処分場の遮水シートは、請求項１乃至５のいずれかに記載の廃棄物処分場の遮水シートにおいて、単一下層シートに設置される送還配管を複数の袋体間を連通している開口との対角位置に配置することを特徴としているので、上記効果に加えて、区分域における蛇行流路の形成を容易にできる効果を奏している。
【００８５】
請求項７に記載の廃棄物処分場の自己修復型遮水シートは、請求項１乃至６のいずれかに記載の廃棄物処分場の遮水シートにおいて、区分域を構成している複数の袋体を補充可能な液状修復材で充填することを特徴としているので、上記効果に加えて、液状修復材による自己修復機能を遮水シートの全域に亘って発揮できる効果を奏している。
【図面の簡単な説明】
【  図１】本発明による廃棄物処分場の遮水シートに関する第１の実施の形態図
【  図２】本発明による廃棄物処分場の遮水シートに関する第１の実施形態における施工図
【  図３】本発明による廃棄物処分場の遮水シートに関する第２の実施の形態図
【  図４】本発明による廃棄物処分場の遮水シートに関する第２の実施形態における施工図
【  図５】遮水シートに形状保持材を設置する過程の実施の形態図
【  図６】遮水シートにおいて開口を形成する過程の実施の形態図
【符号の説明】
１、２１  遮水シート、  ２、２２  単一下層シート、
３、２３  矩形状上層シート、  ４、２４  袋体、  ５、２５  空隙、
６、２６  形状保持材、  ７、７’、７”  区分域、  ８  開口、
９、１１  袋体、  １０  送流配管、  １２  環流配管、
１３、１４、１３’、１４’  隣接２辺、  １５、３７  形状保持材、
１６、３６  隔壁、  ２７、２７’、２７”  区分域、  ２８、２９  袋体、
３０  １辺、  ３１、３２、３３  他の３辺、
３４、３５  端部上層シート、
【図１】
0003771196.tif 000002
【図２】
0003771196.tif 000003
【図３】
0003771196.tif 000004
【図４】
0003771196.tif 000005
【図５】
0003771196.tif 000006
【図６】
0003771196.tif 000007